(57)【要約】      （修正有）【課題】手挽鋸で木材等を切断する際に使用する治具であって、木材等に対する種々の角度切りを簡単、正確に行ない得るようにすることを目的とする。【解決手段】  手挽鋸で木材の切断を行なう際に使用する治具に関するものであって、加工材に当てがう基盤２と、鋸刃を差し入れ得る間隙部を有する鋸刃保持体５とをもって構成し、基盤に対して鋸刃保持体を揺動自在にして取り付けるとともに、鋸刃保持体の側部に縦方向のガイド孔６を、基盤２の側部に横方向のガイド孔７をそれぞれ形成し、基盤のガイド孔と鋸刃保持体とのガイド孔とをバー８により連結して任意の位置で固定し得るように構成した手挽鋸用治具。【選択図】    図１
2006044011.tif 000002
【特許請求の範囲】
【請求項１】
加工材９に当てがう基盤２と、鋸刃３を差し入れ得る間隙部４を有する鋸刃保持体５とをもって構成し、基盤２に対して鋸刃保持体５を揺動自在にして取り付けるとともに、鋸刃保持体５の側部に縦方向のガイド孔６を、基盤２の側部に横方向のガイド孔７をそれぞれ形成し、基盤２のガイド孔７と鋸刃保持体５のガイド孔６とをバー８により連結して任意の位置で固定し得るように構成したことを特徴とする手挽鋸用治具。
【発明の詳細な説明】
【技術分野】
【０００１】
この発明は、鋸で木材等を切断する際に使用する治具に関するものである。
【背景技術】
【０００２】
複数の木材を組み合わせて木工製品を製作するような場合、それぞれの木材に対する正確な切断加工が必要となるのであるが、手挽鋸を使用して正確な角度切り納を行なうには、相当な熟練を要することになるし、また、熟練者にともっても、正確な切断加工を行なおうとすると、木材に対しての正確な墨み付けを行なった後、墨み付け個所に従っての慎重な切断作業が必要となり、僅かな狂いでも、組み立てた際に隙間を発生させ、仕上がり具合を著しく損なうことになるのであるが、そのような加工作業の難しさを解決するための治具として、特願平１１−２１４２８６号の公報に記載のようなものが存在しているのである。
【発明の開示】
【発明が解決しようとする課題】
【０００３】
上記の公報記載のものは、基盤を木材面に当てがった後、鋸刃ガイドに鋸刃を差し入れて使用することにより、何人でも正確な切断加工を行なえるとともに、その切断角度も自由に設定し得るという利点があるが、鋸刃ガイドの角度固定部の構成が複雑になり、また、角度の設定操作を簡単に行なえないという不便さがあるのである。
【０００４】
この発明は、手挽鋸で木材等を切断する際に使用する治具に関するものであって、従来、熟練者の手によって慎重に行なわれていた作業を、特別な熟練を要することなく、簡単、正確に行ない得るようにするとともに、従来のものに見られた構成の複雑さを解決するとともに、正確な切断角度の設定を簡単に行なえるようにしようとするものである。
【課題を解決するための手段】
【０００５】
この発明は、手挽鋸で木材の切断を行なう際に使用する治具に関するものであって、加工材に当てがう基盤と、鋸刃を差し入れ得る間隙部を有する鋸刃保持体とをもって構成し、基盤に対して鋸刃保持体を揺動自在にして取り付けるとともに、鋸刃保持体の側部に縦方向のガイド孔を、基盤２の側部に横方向のガイド孔をそれぞれ形成し、基盤のガイド孔と鋸刃保持体のガイド孔とをバーにより連結して任意の位置で固定し得るように形成した構成となっているのである。
【発明の効果】
【０００６】
この発明にかかる手挽鋸用治具は、上記のような構成となっており、角度設定部の構成がシンプルになるとともに、正確な切断角度の設定を簡単に行なえるという利点があるのである。
【０００７】
すなわち、この種の治具にあって、切断角度の設定は、基盤に対して鋸刃保持体の傾斜角度を測定して固定することによって行なうのであるが、鋸刃保持体の後面部に突起部物が存在した場合、鋸刃保持体の後面と基盤の間に曲尺やスコヤ等の角度定規を当てがって角度設定を行なうことが出来なくなるのであるが、この発明にかかる治具にあっては、基盤と鋸刃保持体との側部に配置させたバーによって固定する構成となっているため、鋸刃保持体の後面と基盤の上面との間に曲尺やスコヤを当てがって角度設定ができ、正確な角度の設定を簡単にできるという利点があるのである。
【０００８】
また、基盤と鋸刃保持体との側部にスライド孔を形成し、両スライド孔をバーで連結固定する構成となっている結果、基盤に対する鋸刃保持体の配置角度の範囲が広くなり、例えば、木材を切断してクサビを製作するような場合にも使用できるという利点があるし、また、固定部の構成がシンプルになり、簡単な操作で確実に固定できるという利点があるのである。
【実施例】
【０００９】
図面に基づいて、この発明の実施例を説明すると、手挽鋸用治具本体１は、図１乃至図６に示すとおり、加工材９に当てがう基盤２と、鋸刃３を差し入れ得る間隙部４を有する鋸刃保持体５とをもって構成し、基盤２に対して鋸刃保持体５を揺動自在にして取り付けるとともに、鋸刃保持体５の側部に縦方向のガイド孔６を、基盤２の側部に横方向のガイド孔７をそれぞれ形成し、基盤２のガイド孔７と、鋸刃保持体５のガイド孔６とをバー８により連結して任意の位置で固定し得るように形成した構成となっているのである。
【００１０】
すなわち、基盤２は、長方形の板体により形成されており、長手方向側の縁部にガイド板１６の取り付け位置を定めるための孔２９・２９と、ガイド板１６を取り付けるためのネジ孔（図面上、表われていない。）を形成するとともに、上面中央部には、ハンドル１２を立設固定した構成となっており、また、手前側の側縁部に立ち上り部１５が、向い側縁部の先端位置に立ち上り部１８が形成されており、立ち上り部１５にはスライド孔７が形成されており、また、立ち上り部１５の先端付近と、立ち上り部１８の中程位置に、孔１７ａ・１７ｂがそれぞれ形成された構成となっているのである。
【００１１】
ガイド板１６は、基盤２に形成した孔２９・１９に対応する個所に突起１３・１３が形成されており、また、その中程位置には、孔１９が形成されており、突起１３・１３を孔２９・２９に嵌合させた後、孔１９の下方からネジ１４を差し入れて螺合させることによって、基盤２の縁部に取り付け得る構成となっているのである。
【００１２】
鋸刃保持体５は、円形の板材２１・２２との間の上方部に、スペース板２３を挟み込んで固定することによって、下方部に鋸刃３を差し入れ得る間隙部４を形成するとともに、その後方位置に支持体２３を配置させ、中心部に形成した孔２４にネジ２５を差し入れ、ネジ２５の先端部を、支持体２３に配置したスライド板２７のネジ孔２８に螺合させることにより、背部に支持体２３を取り付けた構成となっているのである。なお、スライド板２７は、支持体２３の長孔２６に沿って上下動可能となっており、ネジ２５の締め付け操作によって、所定の位置で固定し得る構成となっているのである。
【００１３】
支持体２３は、基盤２よりやや幅の狭い長方形の板材により構成されており、手前側の縁部全体に立ち上り部３０が、向い側の下方部に立ち上がり部３１が形成された構成となっているのである。また、立ち上り部３０には、ガイド孔６が形成されており、立ち上り部３０の下方部と、立ち上り部３１の中程位置には、ネジ孔３２ａ・３２ｂが形成されるとともに、板面の中央部には、スライド板２７を摺動自在の状態で装着させるための長孔２６が形成された構成となっているのである。
【００１４】
バー８は、両端部を円弧状に形成した細幅状の板材で構成されており、その両端部付近にネジ孔３３・３４が形成された構成となっているのである。
【００１５】
基盤２、鋸刃保持体５は、上記のような構成となっており、基盤２の先端付近に形成した孔１７ａ・１７ｂと、支持体２３の下方付近に形成したネジ孔３２ａ・３２ｂとを一致させた状態とするとともに、孔１７ａ・１７ｂ側からネジ２０を螺合させて基盤２に鋸刃保持体５を取り付けた後、バー８を支持体２３の立ち上り部３０と、基盤２の立ち上り部１５との間に差し渡し状にして配置し、ガイド孔６・７から差し入れたネジ１０・１１を、バー８のネジ孔３４・３３に螺合させることによって、基盤２と鋸刃保持体５とを連結した構成となっているのである。
【００１６】
バー８で連結された基盤２と鋸刃保持体５は、ネジ１０・１１の締め付けにより、その揺動状態が固定されるとともに、ネジ１０・１１を緩めてバー８をスライドさせることにより、図４乃至図６に示すように、任意の角度に配置させることが可能となり、その状態でネジ１０・１１を締め付けることによって、任意の角度での固定ができるようになっているのである。
【図面の簡単な説明】
【００１７】
【図１】この発明にかかる治具全体を示す斜視図である。
【図２】この発明にかかる治具の使用要領を示す斜視図である。
【図３】この発明にかかる治具の構成を示す分解斜視図である。
【図４】鋸刃保持対の角度配置状態を示す側面図である。
【図５】鋸刃保持対の角度配置状態を示す側面図である。
【図６】鋸刃保持対の角度配置状態を示す側面図である。
【符号の説明】
【００１８】
１    治具本体
２    基盤
３    鋸刃
４    間隙
５    鋸刃保持体
６    ガイド孔
７    ガイド孔
８    バー
【図１】
2006044011.tif 000003
【図２】
2006044011.tif 000004
【図３】
2006044011.tif 000005
【図４】
2006044011.tif 000006
【図５】
2006044011.tif 000007
【図６】
2006044011.tif 000008